(57)【要約】【課題】設置費用が安価で、流体配管内の流体に対し、磁力線の作用密度を効率的に高めることが可能な流体処理装置を提供する。【解決手段】可撓性を備える長尺なフレキシブル管10と、フレキシブル管10の内部に直列に配置する永久磁石からなる多数個の磁石体20と、フレキシブル管10の端部開口11を閉塞する蓋体30と、フレキシブル管10を流体配管１の周囲に巻き付けて係止する係止部材40を備える。フレキシブル管10内の各磁石体20は、フレキシブル管10が流体配管1の周囲に巻き付けて係止された状態で、流体配管1の周囲に配置されると共に、隣接する磁石体20の流体配管中心を向く磁極が交互に異なる磁極（Ｎ極、Ｓ極）となるように配置する。【選択図】図１
2019084483.tif 000002
【特許請求の範囲】
【請求項１】
可撓性を備える長尺なフレキシブル管と、当該フレキシブル管の内部に直列に配置される永久磁石からなる多数個の磁石体と、前記フレキシブル管の端部開口を閉塞する蓋体と、前記フレキシブル管を流体配管の周囲に巻き付けて係止する係止部材を備えてなり、フレキシブル管内の各磁石体は、フレキシブル管が流体配管の周囲に巻き付けて係止された状態で、流体配管の周囲に配置されると共に、隣接する磁石体の流体配管中心を向く磁極が交互に異なる磁極となるように、フレキシブル配管内に配置されていることを特徴とする流体処理装置。
【請求項２】
フレキシブル管の内面と各磁石体の間および隣接する磁石体の間にそれぞれ緩衝部材が配置されていることを特徴とする請求項１記載の流体処理装置。
【請求項３】
各磁石体がネオジム磁石からなることを特徴とする請求項１又は請求項２記載の流体処理装置。
【発明の詳細な説明】
【技術分野】
【０００１】
本発明は、磁気を利用した流体処理装置に関する。
【背景技術】
【０００２】
従来より、磁気を利用した水処理装置が知られている。例えば、特許文献１の水処理装置は、永久磁石から成る磁石体を一対の筐体の内部に内蔵し、筐体の開口に各磁石体をそれぞれ露出させ、筺体の前記開口側中央をく字状に凹ませ、前記各開口を対向させた状態で、前記両筺体を回動かつ着脱可能に連結し、両筺体が連結された状態で、前記各開口の当接部間に水道配管を挟み込み、対向する磁石体は相互に異なる極性としたもので、水道配管の浄化と水道配管内の水質改善効果を狙ったものである。
【０００３】
また、特許文献２の水処理装置は、水の流入口に複数の細管を接続し、各細管を相互に異なる極性の永久磁石で挟み込み、水の流れる方向には複数の磁石の間に磁極の異なる磁極体を挟んで配置し、細管ごとに磁力線を作用させて各細管内の流水に磁力的作用を与えることを狙ったものである。さらに、特許文献３の水処理装置は、円筒形のハウジング内に磁石と磁極体を配置し、ハウジング内面と磁石および磁極体間に流水路を形成し、ハウジングの一端と他端に流入口と流出口を設けたもので、正極から放出され負極に収束される磁力線を流水に作用させて、流水に与える上記作用を与えんとするものである。
【先行技術文献】
【特許文献】
【０００４】
【特許文献１】特許第３５０１４３５号公報
【特許文献２】特開２００７−６９１９２号公報
【特許文献３】特開２００８−１１９６７９号公報
【発明の概要】
【発明が解決しようとする課題】
【０００５】
しかしながら、特許文献１、特許文献２の水処理装置は、水道配管や細管の上下に対向配置された磁石間に磁力線を生じさせて水道配管や細管内の流水に作用させるようにしているため、磁力線の作用が限定的である。また、特許文献３の水処理装置は、ハウジングを配管の途中に設ける必要があり、設置費用が過大になり易い。
【０００６】
本発明は、上記課題に鑑みてなされたもので、設置費用が安価で、配管内の水等の流体に対し、磁力線の作用密度を効率的に高めることが可能な、磁気を利用した流体処理装置を提供することを目的とする。
【課題を解決するための手段】
【０００７】
上記課題を解決するために、本発明に係る流体処理装置は、
可撓性を備える長尺なフレキシブル管と、当該フレキシブル管の内部に直列に配置される永久磁石からなる多数個の磁石体と、前記フレキシブル管の端部開口を閉塞する蓋体と、前記フレキシブル管を流体配管の周囲に巻き付けて係止する係止部材を備えてなり、フレキシブル管内の各磁石体は、フレキシブル管が流体配管の周囲に巻き付けて係止された状態で、流体配管の周囲に配置されると共に、隣接する磁石体の、流体配管中心を向く磁極が交互に異なる磁極となるように、フレキシブル配管内に配置されていることを主要な特徴とする。
【０００８】
本発明に係る流体処理装置は、フレキシブル管の内面と各磁石体の間および隣接する磁石体の間にそれぞれ緩衝部材が配置されていることを第２の特徴とする。
【０００９】
本発明に係る流体処理装置は、各磁石体がネオジム磁石からなることを第３の特徴とする。
【発明の効果】
【００１０】
以上説明したように、本発明に係る流体処理装置によれば、フレキシブル配管を利用して流体配管の周囲に１周に亘りまたは複数周に亘り磁石体を配置し、しかも、磁石体を管中心に向けて交互に異なる磁極となるように配置することにより、流体配管内部に作用させる磁力線の密度を飛躍的に高め、流体配管内の流体に対する磁気的作用を高めることができるという優れた効果を奏する。
【図面の簡単な説明】
【００１１】
【図１】本発明に係る流体処理装置の全体図で（Ａ）は正面図、（Ｂ）は縦断面図、
【図２】図１に示す流体処理装置の使用例を示す平面図、
【図３】図２のＡ−Ａ線矢視断面図、
【図４】図２に示す使用例において、本発明に係る流体処理装置の作用を示す説明図、
【図５】図１に示す流体処理装置の他の使用例を示す平面図である。
【発明を実施するための最良の形態】
【００１２】
本発明を実施するための一実施形態を、図面を参照しながら説明する。これらの図において、符号１は流体配管、符号Ｓは本発明に係る流体処理装置を示している。
【００１３】
まず、流体処理装置Ｓについて説明すると、流体処理装置Ｓは、図１（Ａ）（Ｂ）に示すように、長尺なフレキシブル管１０と、フレキシブル管１０の内部に配置される多数個の磁石体２０と、フレキシブル管１０の両端部の端部開口を閉塞する蓋体３０と、フレキシブル管１０の両端部どうしを互いに係止する係止部材４０を備えている。
【００１４】
フレキシブル管１０は、可撓性を備える合成樹脂（塩化ビニル樹脂、ポリエチレン樹脂、ポリエステル樹脂等）製の円筒管で、両端部に端部開口１１が設けられると共に、外面に連続する凹部１２と凸部１３が設けられている。同フレキシブル管１０は、一定の剛性および弾力性と、図２および図３に示すように、流体配管１に対して直角方向（周方向）に巻き付け可能な可撓性を備えている。なお、図２および図３ではフレキシブル配管１０の外面の凹凸が省略されている。
【００１５】
磁石体２０は、フレキシブル管１０の内部に直列に配置されるもので、１０００〜１００００Ｇ（ガウス）程度の強力な表面磁束密度をもつ永久磁石、例えばネオジム磁石等からなる。同磁石体２０は、フレキシブル管１０の内部に、フレキシブル管１０の長手方向と直交する短手方向（図１（Ｂ）の上下方向）に正極（Ｎ極）と負極（Ｓ極）が交互に向くように直列に配置されている。
【００１６】
フレキシブル管１０の内部には、図１（Ｂ）に示すように、磁石体２０を一定間隔および所定位置に保持するため、フレキシブル管１０内面と磁石体２０の間および隣接する磁石体２０の間に緩衝材２２が充填されている。緩衝材２２は、各磁石体２０を一定間隔および所定位置に保持しかつフレキシブル管１０の可撓性を損なわない材料であればよく、例えば弾力性のある樹脂製の、多数の小径ビーズや、多数の発泡小球体等が用いられる。
【００１７】
蓋体３０は、フレキシブル管１０の両端部の端面開口１１を閉塞するもので、例えばフレキシブル管１０の両端部に設けられたねじ部に螺合される。フレキシブル管１０の一方の端面開口１１に蓋体３０を装着し、他方の端面開口１１から、緩衝材２２とともに上記磁石体２０を、正極（Ｎ極）と負極（Ｓ極）を上記のように交互配列して内部に配置し、所定数配置した後に、他方の端面開口１１に蓋体３０を装着することにより、フレキシブル管１０の内部に所定数の磁石体２０を安定配置状態に閉じ込めることができる。
【００１８】
係止部材４０は、フレキシブル管１０を図２および図３に示すように流体配管１に対し直角方向（周方向）に巻き付けて、フレキシブル管１０の両端部どうしを互いに係止するもので、フレキシブル管１０の両端部に設けられている。係止部材４０は、フレキシブル管１０の両端部どうしを互いに係止できればよく、例えば図１（Ａ）に示すように先端が鉤状に曲げられた金属部材がフレキシブル管１０の両端部に装着されていてよい。
【００１９】
次に、上記構成の流体処理装置Ｓの使用方法について説明する。  
【００２０】
図２および図３は、上記構成の流体処理装置Ｓを流体配管（例えば水道管）１の周囲に１回巻き付けて係止部材４０によりフレキシブル管１０の両端部どうしを互いに係止し、これにより同流体処理装置Ｓを流体配管１の周囲に１回巻き付けて固定したものである。
【００２１】
図４は、流体処理装置Ｓを流体配管１の周囲に１回巻き付けて固定した状態の、フレキシブル管１０内の各磁石体２０の配置状態を示す概略図である。同図に示すように、流体配管１の周囲に全周にわたり多数個（図示例は１２個）の磁石体２０が一定間隔で並んでいる。各磁石体２０は、流体配管１の管中心方向と遠心方向に異なる磁極（正極（Ｎ極）、負極（Ｓ極））が向くと共に、隣り合う磁石体１０の管中心方向を向く磁極と遠心方向を向く磁極がそれぞれ交互に異なる磁極（正極（Ｎ極）、負極（Ｓ極））となるように配置されている。
【００２２】
上記各磁石体２０の配置により、すなわち、流体配管１の周囲に、多数個の磁石体２０が交互に異なる磁極となるように配置されることにより、図示例のように、流体配管１の周囲に配置された各磁石体２０の管中心を向く正極（Ｎ極）から放出される磁力線Ｇが、残りの磁石体２０の管中心を向く負極（Ｓ）のそれぞれに向かう結果、流体配管１内部を横断する磁力線Ｇの密度が大幅に増加し、流体配管１内の流水（流体）Ｗに与える磁気的作用（水分子の微細化、活水化等）も大きく向上する。
【００２３】
図５に示す流体処理装置Ｓ’は、他の使用例を示すもので、図３に示す流体処理装置Ｓに比べてフレキシブル管１０の長さを延長し、流体配管１の周囲に複数回（図示例は４〜５回）巻き付けて固定したものである。同図に示すように、流体配管１の周囲にフレキシブル管１０を複数回乃至多数回巻き付けて固定することにより、流体配管１内部の流水（流体）に作用させる磁力線の密度をより高めることができる。
【００２４】
本実施形態によると、長尺なフレキシブル管１０に多数の磁石体２０を配置したので、長尺なフレキシブル管１０を流体配管１の周囲に巻き付けて固定することにより、流体配管１の周囲に多数の磁石体２０を容易に配置することができる。また、流体配管１の周囲に配置する磁石体２０は、流体配管１の管中心を向く磁極を交互に異ならせるように配置したので、流体配管１内部を横断する磁力線の密度を高めることができる。
【００２５】
また、本実施形態によると、長尺なフレキシブル管１０を用いることで、流体配管１の材質やサイズを選ばず、細い流体配管や太い流体配管の周囲に容易に多数個の磁石体２０を配置することができる。さらに、フレキシブル１０の長さを延長して磁石体２０の配置数を増やすことにより、フレキシブル管１０を流体配管１の周囲に複数回または多数回巻き付けて、流体配管１内の流水に作用する磁力線の密度を容易に高めることができる。
【００２６】
図３に示す流体処理装置Ｓは、流体配管１の周囲に複数個所に亘って複数個を巻き付けて設置してよく、また、図３に示す流体処理装置Ｓと図５に示す流体処理装置Ｓ’を組み合わせて設置してもよい。
【００２７】
本発明の流体処理装置は、様々な流体配管、例えば水道管、給排水管、空調用配管、さらにはガソリン、軽油、灯油、重油等の燃料パイプなどの流体配管に対し幅広く設置できる。
【産業上の利用可能性】
【００２８】
本発明は、磁気を利用した流体処理装置として流体配管に設置して利用可能である。
【符号の説明】
【００２９】
１  流体配管
１０  フレキシブル管
１１  端面開口
１２  凹部
１３  凸部
２０  磁石体
２２  緩衝材
３０  蓋体
４０  係止部材
Ｓ、Ｓ’  流体処理装置
Ｗ  流水（流体）
【図１】
2019084483.tif 000003
【図２】
2019084483.tif 000004
【図３】
2019084483.tif 000005
【図４】
2019084483.tif 000006
【図５】
2019084483.tif 000007